(57)【要約】      （修正有）【課題】折り返し構造において押圧痕を形成することなく、且つ文字が正確に印刷される折り返し構造及びそれを有するプリンターを提供する。【解決手段】折り返し構造のローラーは、駆動部材３１と、複数の駆動ボール３２及び駆動ローラー３３と、を備え、駆動部材が駆動され、予め決められた方向に回転する際、複数の駆動ボールは、駆動部材によって移動し、複数の収容槽３３３にそれぞれ移動すると、収容槽によって移動を規制されて、駆動ボールは駆動部材と駆動ローラーとの間に留められ、駆動部材の回転と共に、駆動ローラーも回転し、駆動部材が回転を停止した後、駆動ローラーは、印刷用紙の後端と駆動ローラーとの間に発生する摩擦力によって、駆動部材に対して、予め決められた方向に回転する。【選択図】図５
2013023389.tif 000002
【特許請求の範囲】
【請求項１】
プリンターに応用され、複数のローラーを備える折り返し構造において、
前記折り返し構造における排紙端に位置する少なくとも一つのローラーは、駆動部材と、複数の駆動ボール及び駆動ローラーと、を備え、
前記駆動ローラーには、収容部が設けられ、前記収容部の内周壁には複数の収容槽が設けられ、前記駆動部材には、複数の葉状片がそれぞれ設けられ、互いに隣接する二つの前記葉状片の間には凹部がそれぞれ設けられ、
前記駆動部材が、前記収容部に収容された際、前記凹部と前記収容部の内周壁との間に複数の収容空間が形成され、複数の前記駆動ボールは、複数の前記収容空間にそれぞれ収容され、且つ前記収容空間中で移動し、
前記駆動部材が駆動され、予め決められた方向に回転する際、複数の前記駆動ボールは、前記駆動部材によって移動して、複数の前記収容槽にそれぞれ移動すると、前記駆動ボールは前記収容槽によって移動を規制されて、前記駆動ボールは前記駆動部材と前記駆動ローラーとの間に留められ、前記駆動部材の回転と共に、前記駆動ローラーも回転し、前記駆動部材が回転を停止した後、前記駆動ローラーは、印刷用紙の後端と前記駆動ローラーとの間に発生する摩擦力によって、前記駆動部材に対して、予め決められた方向に回転させることを特徴とする折り返し構造。
【請求項２】
前記駆動部材は、駆動軸及び回転ローラーを備え、前記駆動軸は棒状であり、前記回転ローラーは前記駆動軸に固定され、前記回転ローラー及び前記駆動軸の一端は、前記駆動ローラーの収容部に収容され、前記駆動軸の他端は、駆動装置に連接され、前記駆動装置はモーターによって起動され、前記駆動部材と共に回転することを特徴とする請求項１に記載の折り返し構造。
【請求項３】
複数の前記葉状片は、前記回転ローラーの端部に設けられ、互いに隣接する二つの前記葉状片の間には凹部が設けられることを特徴とする請求項２に記載の折り返し構造。
【請求項４】
前記駆動ローラーは、棒状であり、棒体と、前記棒体に固定された少なくとも一つの送りローラーと、を備えることを特徴とする請求項１から３のいずれか一項に記載の折り返し構造。
【請求項５】
前記収容槽を画成する内周壁のうち前記予め決められた方向に位置する内周壁と前記収容部の内周壁とがなす角度が、前記収容槽を画成する内周壁のうち前記予め決められた方向とは逆方向に位置する内周壁と前記収容部の内周壁とがなす角度よりも大きいことを特徴とする請求項１から４のいずれか一項に記載の折り返し構造。
【請求項６】
請求項１〜５のいずれか一項に記載の折り返し構造を有するプリンター。
【発明の詳細な説明】
【技術分野】
【０００１】
本発明は、折り返し構造及びそれを有するプリンターに関するものである。
【背景技術】
【０００２】
図１に示したように、両面印刷機能を有する従来のプリンター１００は、給紙ローラー１０と、印刷ローラー２０と、折り返し構造３０と、給紙トレイ４０及びインクジェット５０と、を備える。前記給紙ローラー１０と、前記印刷ローラー２０及び前記折り返し構造３０と、は、同じモーター（図示せず）によって駆動される。前記印刷ローラー２０が、前記モーターによって、時計回りの方向に回転される際、前記折り返し構造３０の前記ローラーは停止状態であり、前記印刷ローラー２０が前記モーターによって、反時計回りの方向に回転される際、前記折り返し構造３０のローラーは反時計回りの方向に回転する。
【０００３】
印刷用紙の両面を印刷する際、先ず、印刷用紙を前記給紙トレイ４０に設置する。この際、前記給紙ローラー１０は図１の矢印の方向（つまり時計回りの方向）に回転して、該印刷用紙を前記印刷ローラー２０に送る。次いで、前記印刷ローラー２０が時計回りの方向に回転することにより、前記印刷用紙は前記インクジェット５０に送られて、印刷される。
【０００４】
前記印刷用紙の第一面の印刷が終わると、前記モーターは反時計回りの方向に回転する。この際、前記印刷ローラー２０も反時計回りの方向に回転して、前記印刷用紙を前記折り返し構造３０に送った後、前記印刷用紙は裏返されて、そのまま前記印刷ローラー２０の方へ送り出される。この際、前記印刷用紙の前端は該印刷ローラー２０に位置する。次いで、前記モーターが時計回りの方向に回転することにより、前記印刷ローラー２０は時計回りの方向に回転し、前記印刷用紙を前記インクジェット５０に送って、該印刷用紙の第二面を印刷する。この時、前記折り返し構造３０は停止している。
【０００５】
このように、従来の前記プリンター１００は、前記印刷用紙を裏返した後、該印刷用紙を前記印刷ローラー２０へ送る。この際、前記印刷用紙の前端は該印刷ローラー２０に位置し、後端は前記折り返し構造３０に位置する。前記折り返し構造３０が停止した際、前記印刷用紙の後端は、前記折り返し構造３０の前記ローラーと、それに対応する補助ローラー３００と、の間に挟まれ、前記印刷ローラー２０の推進力によって、前記印刷用紙を前記折り返し構造３０から引き出した後、前記インクジェット５０に送って印刷を行う。しかし、この際、前記折り返し構造３０による押圧痕が残るだけでなく、前記印刷ローラー２０の推進力が弱い場合、第二面に文字が正確に印刷されない。
【発明の概要】
【発明が解決しようとする課題】
【０００６】
以上の問題点に鑑みて、本発明は、折り返し構造において押圧痕が形成されることなく、且つ文字が正確に印刷される折り返し構造及びそれを有するプリンターを提供することを目的とする。
【課題を解決するための手段】
【０００７】
前記目的を達成するために、本発明に係る折り返し構造は、プリンターに応用され、複数のローラーを備え、前記折り返し構造における排紙端に位置する少なくとも一つのローラーは、駆動部材と、複数の駆動ボール及び駆動ローラーと、を備え、前記駆動ローラーには、収容部が設けられ、前記収容部の内周壁には複数の収容槽が設けられ、前記駆動部材には、複数の葉状片がそれぞれ設けられ、互いに隣接する二つの前記葉状片の間には凹部がそれぞれ設けられ、前記駆動部材が、前記収容部に収容された際、前記凹部と前記収容部の側壁との間に複数の収容空間が形成され、複数の前記駆動ボールは、複数の前記収容空間にそれぞれ収容され、且つ前記収容空間中で移動し、前記駆動部材が駆動され、予め決められた方向に回転する際、複数の前記駆動ボールは、前記駆動部材によって移動して、複数の前記収容槽にそれぞれ移動すると、前記駆動ボールは前記収容槽によって移動を規制されて、前記駆動ボールは前記駆動部材と前記駆動ローラーとの間に留められ、前記駆動部材の回転と共に、前記駆動ローラーも回転し、前記駆動部材が回転を停止した後、前記駆動ローラーは、印刷用紙の後端と前記駆動ローラーとの間に発生する摩擦力によって、前記駆動部材に対して、予め決められた方向に回転させる。
【発明の効果】
【０００８】
本発明に係るプリンターは、印刷用紙の第二面を印刷する際、前記折り返し構造において押圧痕を形成することなく、文字を正確にと印刷することができる。
【図面の簡単な説明】
【０００９】
【図１】従来のプリンターの断面図である。
【図２】本発明に係るプリンターの折り返し構造の断面図である。
【図３】図２に示した折り返し構造のローラーの分解図である。
【図４】図３に示した折り返し構造のローラーの別の視覚から見た分解図である。
【図５】図２に示した折り返し構造の使用状態を示す図である。
【図６】図５に示した折り返し構造のローラーの拡大図である。
【発明を実施するための形態】
【００１０】
以下、図面に基づいて、本発明に係る折り返し構造及びそれを有するプリンターについて詳細に説明する。
【００１１】
本発明の折り返し構造及びそれを有するプリンターは、図１に示した従来の前記プリンター１００の前記折り返し構造を、さらに改良したものである。図２に示したように、本発明のプリンターにおける前記折り返し構造３０ａは、第一ローラー３０１と、第二ローラー３０２及び第三ローラー３０３と、を備える。前記給紙ローラー１０と、前記印刷ローラー２０と、前記折り返し構造３０ａにおける前記第一ローラー３０１、前記第二ローラー３０２及び前記第三ローラー３０３と、は、前記プリンター１００の内部に設置されたモーター（図示せず）によって駆動される。
【００１２】
印刷用紙の第一面を印刷する際、前記モーターは、前記給紙ローラー１０と、前記印刷ローラー２０と、を駆動して、図１の矢印が示す時計回りの方向に回転させる。前記第一ローラー３０１と、前記第二ローラー３０２及び前記第三ローラー３０３と、は停止している。第一面の印刷が終わると、前記印刷ローラー２０は、前記モーターによって反時計回りの方向に回転し、これにより、前記印刷用紙は前記折り返し構造３０ａに送られる。次いで、前記第一ローラー３０１及び前記第三ローラー３０３は、前記モーターの駆動によって、図２の矢印が示した方向（つまり、反時計回りの方向）に回転され、前記第二ローラー３０２は、時計回りの方向に回転する。前記第一ローラー３０１から前記第三ローラー３０３とこれらの前記ローラーと対応する補助ローラー３００とが、共に回転することで、前記印刷用紙は裏返される。本発明の実施形態において、前記第一ローラー３０１が設置されている一端は、前記プリンター１００の給紙端であり、前記第三ローラー３０３が設置されている一端は、前記プリンター１００の排紙端である。
【００１３】
図１及び図２からわかるように、前記第一ローラー３０１、前記第二ローラー３０２及び前記第三ローラー３０３の配置関係は、前記折り返し構造３０におけるローラーの配置関係と類似する。また、前記折り返し構造３０ａにおける前記第一ローラー３０１から前記第三ローラー３０３の各々の構造も同じであるので、以下、前記第一ローラーの構造について詳しく説明する。
【００１４】
図３を参照すると、前記第一ローラー３０１は、駆動部材３１と、複数の駆動ボール３２及び駆動ローラー３３と、を備える。前記駆動部材３１は、駆動軸３１１と、回転ローラー３１２と、を備える。前記駆動軸３１１は棒状であり、前記回転ローラー３１２は、前記駆動軸３１１上に、該駆動軸３１１の両端から一定の距離をあけて設置される。前記回転ローラー３１２の軸方向の一端部には、径方向外側に突出する複数の葉状片３１２１がそれぞれ設けられており、互いに隣接する二つの前記葉状片３１２１の間には、凹部３１２２がそれぞれ設けられている。前記葉状片３１２１のうち反時計回りの周方向の外端部は、反時計回りで周方向に突出しており、収容槽３３３内に収容されている駆動ボール３２を収容槽３３３から掬い出す。前記駆動軸３１１の一端と駆動装置６０とは連接され、該駆動装置６０は、前記モーターによって起動されて、前記駆動部材３１と共に回転する。
【００１５】
図４を併せて参照すると、前記駆動ローラー３３は棒状であり、棒体３３１と前記棒体３３１に固定された少なくとも一つの送りローラー３３４と、を備える。前記駆動ローラー３３の端部には、収容部３３２が設けられており、前記収容部３３２の内周壁には、径方向外側に向けて陥没する複数の収容槽３３３が設けられている。前記収容部３３２は、前記棒体３３１の両端にそれぞれ設置される。また、前記収容槽３３３を画成する内周壁のうち時計回り方向に位置する内周壁と前記収容部３３２の内周壁とがなす角度は、前記収容槽３３３を画成する内周壁のうち反時計回り方向に位置する内周壁と前記収容部３３２の内周壁とがなす角度よりも小さくなっている。そのため、前記収容槽３３３内に収容されている駆動ボール３２は、前記駆動部材３１が前記駆動ローラー３３に対して時計回りに回転する場合に、前記葉状片３１２１の上記突出部によって前記収容槽３３３から掬い出される。その一方で、前記駆動ボール３２は、前記駆動部材３１が前記駆動ローラー３３に対して反時計回りに回転する場合に、前記葉状片３１２１によって前記収容槽３３３から掬い出されずに前記収容槽３３３内に留まる。本発明の実施形態において、前記送りローラー３３４は、ゴムによって形成される。
【００１６】
図５及び図６を併せて参照すると、前記駆動軸３１１の前記駆動装置６０と離れている一端と前記回転ローラー３１２とは、前記駆動ローラー３３の前記収容部３３２に収容される。前記回転ローラー３１２が、前記収容部３３２に収容された際、前記凹部３１２２と前記収容部３３２の内周壁との間には、複数の収容空間３４が形成され、複数の前記駆動ボール３２は、複数の前記収容空間３４にそれぞれ収容され、且つ前記収容空間３４の中で移動する。前記駆動部材３１は前記モーターによって、前記駆動ローラー３３に対して回転する。すなわち、前記駆動部材３１を前記モーターによって時計回りの方向に回転する際、複数の前記駆動ボール３２は、葉状片３１２１の上記突出部によって収容槽３３３から掬い出される。そのため、駆動ボール３２は、駆動部材３１の回転に伴って収容空間３４内を時計回りに移動する。
一方、前記駆動部材３１が、前記駆動ローラー３３に対して、反時計回りの方向に回転する際、複数の前記駆動ボール３２は複数の前記収容槽３３３にそれぞれ移動すると、前記収容槽３３３によって反時計回りの方向（駆動部材３１の回転方向）へのさらなる移動を規制されて、前記駆動部材３１と前記駆動ローラー３３との間に留められる。これにより、葉状片３１２１と収容槽３３３とが駆動ボール３２を介して係合し、前記駆動部材３１の回転と共に、前記駆動ローラー３３も回転する。
【００１７】
前記モーターが、時計回りの方向に回転する際、前記駆動部材３１は回転を停止する。この際、前記駆動ローラー３３に対して、反時計回りの方向に外力Ｆを与えると、前記駆動ローラー３３は、該外力Ｆによって、前記駆動部材３１に対して、反時計回りの方向に回転する。
【００１８】
印刷用紙を裏返す際、前記駆動部材３１は、前記駆動装置６０によって、反時計回りの方向に回転し、前記駆動部材３１の複数の前記葉状片３１２１は、前記駆動ボール３２を動かし、前記駆動ボール３２が、直接前記駆動ローラー３３の前記収容槽３３３に入り込むようにする。同時に、前記回転ローラー３１２は、前記駆動ボール３２によって、前記駆動ローラー３３を動かし、前記送りローラー３３４とそれに対応する前記補助ローラー３００と共に、前記印刷用紙を裏返す。
【００１９】
前記印刷用紙が前記折り返し構造３０において裏返された際、前記プリンター１００の前記モーターは、時計回りの方向に回転し、前記印刷ローラー２０を時計回りの方向に回転する。前記モーターと前記駆動装置６０との間の接続は、前記モーターが第一方向に回転すると、前記駆動装置６０は起動し、前記モーターが第一方向とは逆の第二方向に回転すると、前記駆動装置６０は動かず、前記駆動部材３１は回転を停止するようになっている。
【００２０】
裏返った後の前記印刷用紙の前端は、前記印刷ローラー２０によって、前記インクジェット５０に向かって移動し、この際、前記印刷用紙の後端は、前記第三ローラー３０３とそれに対応する前記補助ローラー３００との間に挟まれる。前記印刷用紙が前記インクジェット５０に向かって移動する際、該印刷用紙の後端と前記駆動ローラー３３との間に摩擦力、つまり前記外力Ｆが発生する。該摩擦力は、前記駆動ローラー３３を、前記駆動部材３１に対して、反時計回りの方向に回転させて、前記印刷ローラー２０を連動させる。これにより、前記印刷用紙は前記折り返し構造３０からスムーズに離脱し、前記印刷用紙の第二面を印刷する際、前記折り返し構造３０の押圧痕が形成されず、文字を正確に印刷することができる。
【００２１】
他の実施形態では、前記折り返し構造３０ａにおいて、前記印刷用紙の端部に位置する少なくとも一つの第三ローラー３０３の構造は、上述の前記ローラーと同じ構造である。
【００２２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２３】
１００      プリンター
１０        給紙ローラー
２０          印刷ローラー
３０、３０ａ  折り返し構造
４０          給紙トレイ
５０          インクジェット
６０          駆動装置
３００        補助ローラー
３０１        第一ローラー
３０２        第二ローラー
３０３        第三ローラー
３１          駆動部材
３２          駆動ボール
３３          駆動ローラー
３１１        駆動軸
３１２        回転ローラー
３１２１      葉状片
３１２２      凹部
３３１        棒体
３３２        収容部
３３３        収容槽
３３４        送りローラー
３４          収容空間
【図１】
2013023389.tif 000003
【図２】
2013023389.tif 000004
【図３】
2013023389.tif 000005
【図４】
2013023389.tif 000006
【図５】
2013023389.tif 000007
【図６】
2013023389.tif 000008